(57)【特許請求の範囲】
【請求項１】
ホルダの頭部に剃刀ヘッドを首振り可能に支持する部品組付体を組み付けた首振り式剃刀において、
前記ホルダの頭部は、前記剃刀ヘッドに面する前側開口と、この前側開口に対向する後側開口との間で貫通する空洞部を有するように壁部により一体成形され、
前記部品組付体は、取付台と、この取付台の前側で移動可能に支持したプッシャと、この取付台の後側で移動可能に支持した操作部と、この取付台でこの操作部とプッシャとの間に介在されてこのプッシャを付勢する弾性体と、この操作部と弾性体とプッシャとが操作部の移動方向に沿って並ぶ前後方向に対し直交する左右方向の両側でこの取付台に対し回動可能に支持されて互いに開閉動し得る左右両支持アームとを有し、
この部品組付体は、取付台に各部品を予め組み付けて一体化した状態で、前記ホルダの頭部の空洞部内に前側開口から挿入され、頭部の前側開口で前記左右両支持アーム及びプッシャが露出し、頭部の後側開口で前記操作部が露出し、
前記ホルダの頭部の壁部の外側に重合された一つの連結部材には、部品組付体の取付台の前後両側にそれぞれ設けた第一係止部に対し、ホルダの頭部の壁部に設けた連結孔を通して連結される第一係止部をそれぞれ別々に設けるとともに、ホルダの頭部の壁部に設けた第二係止部に対し頭部の連結孔を通して連結される第二係止部を後側の第一係止部よりも後側で前後両側の第一係止部に対し別々に設け、
前記左右両支持アームを回動可能に支持する開閉支持部で取付台の後側の第一係止部を兼用し、
連結部材と部品組付体の取付台とホルダの頭部における前側の第一係止部と後側の第一係止部と第二係止部とを前後方向に並べて、前記部品組付体をこの連結部材の前後両側の第一係止部と第二係止部とによりホルダの頭部に位置決めし、
前記操作部の移動により前記左右両支持アームを開閉動させて、前記剃刀ヘッドに対しこの左右両支持アームを係脱可能にするとともに、この左右両支持アームに対しこの剃刀ヘッドを支持して前記プッシャをこの剃刀ヘッドに対し前記弾性体の付勢力により圧接させるようにした
ことを特徴とする首振り式剃刀。
【請求項２】
前記部品組付体の第一係止部と連結部材の第一係止部とのうち、一方の第一係止部は凹部であり、他方の第一係止部はこの凹部に係合される凸部であることを特徴とする請求項１に記載の首振り式剃刀。
【請求項３】
前記部品組付体及び連結部材の第一係止部は溶着部であることを特徴とする請求項１に記載の首振り式剃刀。
【請求項４】
前記頭部の第二係止部と連結部材の第二係止部とのうち、一方の第二係止部は凹部であり、他方の第二係止部はこの凹部に係合される凸部であることを特徴とする請求項１から請求項３のうちいずれか一つの請求項に記載の首振り式剃刀。
【請求項５】
前記左右両支持アームは、前記開閉支持部としての共通の支軸で回動可能に支持されて開閉動され、この支軸の外周に挿嵌される支持孔を有する基端挿嵌部と、この基端挿嵌部から延設されて先端部に同一形態の係合支持部を有する腕部とからなり、この左右両支持アームで互いに重合する基端挿嵌部はこの腕部の係合支持部が一平面上で開閉動するようにこの腕部に対し段差部を介して連続していることを特徴とする請求項１から請求項４のうちいずれか一つの請求項に記載の首振り式剃刀。
【請求項６】
前記ホルダの頭部には前記操作部に面する操作規制部を設け、この操作規制部にはこの操作部に設けた指掛部に指を当てがって操作部を移動させる際にその指が当接して操作部の移動を規制する指当接部を設けたことを特徴とする請求項１から請求項５のうちいずれか一つの請求項に記載の首振り式剃刀。
【請求項７】
前記操作部は、前記左右両支持アームに対し前記剃刀ヘッドを支持し得る支持状態と、その支持状態を解除する支持解除状態とを取り、この操作部の支持状態と支持解除状態とのうち少なくとも支持解除状態を維持するように互いに係合する係合部を前記取付台とこの操作部とに設けたことを特徴とする請求項１から請求項５のうちいずれか一つの請求項に記載の首振り式剃刀。
【請求項８】
前記左右両支持アームの移動方向を含む面に対し直交する上下方向の両側のうち、一方の側への左右両支持アームの動きを規制する案内面を有する案内壁部と、他方の側への左右両支持アームの動きを規制する案内面を有する案内壁部とを、前記部品組付体の取付台と前記ホルダの頭部とでそれぞれ一体的に設け、この取付台の両案内壁部の案内面間に設けた案内通路と、この頭部の両案内壁部の案内面間に設けた案内通路とを互いに連続させてこれらの案内通路で前記左右両支持アームを開閉動可能にしたことを特徴とする請求項１から請求項５のうちいずれか一つの請求項に記載の首振り式剃刀。
【発明の詳細な説明】
【技術分野】
【０００１】
本発明は首振り式剃刀に関するものである。
【背景技術】
【０００２】
下記特許文献１では、ホルダ２の頭部４ｂ，５ｂに剃刀ヘッド１を首振り可能に支持する部品組付体３を組み付けた首振り式剃刀が開示されている。
【特許文献１】特開２００１−３４０６７１号公報
【発明の開示】
【発明が解決しようとする課題】
【０００３】
上記特許文献１は下記の問題点＊を有する。
＊  ホルダ２の頭部４ｂ，５ｂは互いに分離された一対のカバー体４，５からなり、部品組付体３は互いに重合されて取着されたこの両カバー体４，５間に組み付けられている。部品組付体３の係止突起１３ａと上側カバー体５の頭部５ｂの係止孔部１３ｂとを互いに係合するとともに、下側カバー体４の頭部４ｂ及び上側カバー体５の頭部５ｂに部品組付体３を合致させることにより、部品組付体３を両カバー体４，５の頭部４ｂ，５ｂ間に挟着して位置決めしているだけである。そのため、頭部４ｂ，５ｂ間で部品組付体３の緩みが生じるおそれがあり、部品組付体３をホルダ２の頭部４ｂ，５ｂに対し確実に連結することができなくなる。
【０００４】
＊  部品組付体３においては、両カバー体４，５の頭部４ｂ，５ｂ間で操作部１７とプッシャ９とが操作部１７の移動方向に沿って並び、弾性体１０がこの操作部１７とプッシャ９との間に介在されている。この操作部１７は内側操作部８と外側操作部１５とからなり、外側操作部１５は操作部１７の移動方向に対し直交する上方へ両頭部４ｂ，５ｂ間から露出している。そのため、部品組付体３を組み付けた頭部４ｂ，５ｂにおいてそれらの組付構造が複雑になるとともに、操作部１７によりプッシャ９を確実に押すことができなくなる。
【０００５】
＊  前記外側操作部１５を不用意に押して剃刀ヘド１を両支持アーム７から離脱させるおそれがあった。
＊  前記外側操作部１５を押して両支持アーム７を互いに開いた支持解除状態で両支持アーム７に剃刀ヘッド１を当てがい、その外側操作部１５を離すと、両支持アーム７が互いに閉じて支持状態になり、両支持アーム７に剃刀ヘッド１が支持される。しかし、外側操作部１５を押したまま両支持アーム７に剃刀ヘッド１を当てがう必要があり、両支持アーム７に剃刀ヘッド１を支持しにくい。
【０００６】
＊  前記左右両支持アーム７が一対の支軸部１８により回動可能に支持されているので、この左右両支軸部１８間を結ぶ左右方向で部品組付体３のサイズが大きくならざるを得ない。そのため、ホルダ２の頭部４ｂ，５ｂのサイズも大きくなる。
【０００７】
＊  前記部品組付体３において一体的に設けられた左右両案内壁部２３，２４の案内面２３ａ，２４ａ間の案内通路２５で前記左右両支持アーム７が開閉動する。この左右両支持アーム７の開閉動ストロークに合わせて左右両案内壁部２３，２４の延設長さも設定しなければならない。この左右両案内壁部２３，２４の延設長さを大きくすると、ホルダ２の頭部４ｂ，５ｂのサイズも大きくなる。そのサイズが制限されているため、左右両支持アーム７は開動時に案内通路２５から突出し、左右両支持アーム７の触れ防止効果を十分に発揮しない。
【０００８】
この発明は、ホルダの頭部に部品組付体を組み付けた首振り式剃刀において、部品組付体をホルダの頭部に確実に連結して首振り式剃刀としての機能を高めることを目的としている。
【課題を解決するための手段】
【０００９】
後記実施形態の図面（図１〜８）の符号を援用して本発明を説明する。
＊  請求項１の発明
請求項１の発明にかかる首振り式剃刀は下記のように構成されている。
この首振り式剃刀においては、ホルダ（２）の頭部（３）に剃刀ヘッド（５）を首振り可能に支持する部品組付体（４）を組み付けている。前記ホルダ（２）の頭部（３）は、前記剃刀ヘッド（５）に面する前側開口（２０，２５）と、この前側開口（２０，２５）に対向する後側開口（２１，２６）との間で貫通する空洞部（２７）を有するように壁部（１７,１８,１９，２２，２３，２４）により一体成形されている。前記部品組付体（４）は、取付台（３５）と、この取付台（３５）の前側で移動可能に支持したプッシャ（３８）と、この取付台（３５）の後側で移動可能に支持した操作部（３７）と、この取付台（３５）でこの操作部（３７）とプッシャ（３８）との間に介在されてこのプッシャ（３８）を付勢する弾性体（３９）と、この操作部（３７）と弾性体（３９）とプッシャ（３８）とが操作部（３７）の移動方向に沿って並ぶ前後方向（Ｘ）に対し直交する左右方向（Ｙ）の両側でこの取付台（３５）に対し回動可能に支持されて互いに開閉動し得る左右両支持アーム（３６）とを有している。この部品組付体（４）は、取付台（３５）に各部品（３６，３７，３８，３９）を予め組み付けて一体化した状態で、前記ホルダ（２）の頭部（３）の空洞部（２７）内に前側開口（２０，２５）から挿入され、頭部（３）の前側開口（２０，２５）で前記左右両支持アーム（３６）及びプッシャ（３８）が露出し、頭部（３）の後側開口（２１，２６）で前記操作部（３７）が露出している。前記ホルダ（２）の頭部（３）の壁部（１７）の外側に重合された一つの連結部材（７７）には、部品組付体（４）の取付台（３５）の前後両側にそれぞれ設けた第一係止部（５３，５４）に対し、ホルダ（２）の頭部（３）の壁部（１７）に設けた連結孔（２９，３０，３１）を通して連結される第一係止部（７８，８０ａ）をそれぞれ別々に設けるとともに、ホルダ（２）の頭部（３）の壁部（１７）に設けた第二係止部（３２）に対し頭部（３）の連結孔（２９，３０，３１）を通して連結される第二係止部（８１）を後側の第一係止部（８０ａ）よりも後側で前後両側の第一係止部（７８，８０ａ）に対し別々に設けている。前記左右両支持アーム（３６）を回動可能に支持する開閉支持部で取付台（３５）の後側の第一係止部（５４）を兼用している。連結部材（７７）と部品組付体（４）の取付台（３５）とホルダ（２）の頭部（３）とにおける前側の第一係止部（７８，５３）と後側の第一係止部（８０ａ，５４）と第二係止部（８１，３２）とを前後方向（Ｘ）に並べて、前記部品組付体（４）をこの連結部材（７７）の前後両側の第一係止部（７８，８０ａ）と第二係止部（８１）とによりホルダ（２）の頭部（３）に位置決めしている。前記操作部（３７）の移動により前記左右両支持アーム（３６）を開閉動させて、前記剃刀ヘッド（５）に対しこの左右両支持アーム（３６）を係脱可能にするとともに、この左右両支持アーム（３６）に対しこの剃刀ヘッド（５）を支持して前記プッシャ（３８）をこの剃刀ヘッド（５）に対し前記弾性体（３９）の付勢力により圧接させるようにしている。
【００１３】
請求項１の発明では、一つの連結部材（７７）と部品組付体（４）の取付台（３５）とホルダ（２）の頭部（３）とにおける前側の第一係止部（７８，５３）と後側の第一係止部（８０ａ，５４）と第二係止部（８１，３２）とをそれぞれ別々に前後方向（Ｘ）に並べて、部品組付体（４）を連結部材（７７）の前後両側の第一係止部（７８，８０ａ）に連結するとともに連結部材（７７）の第二係止部（８１）によりホルダ（２）の頭部（３）に位置決めしているので、部品組付体（４）及びホルダ（２）の頭部（３）に対しそれぞれ別々に連結される一つの専用連結部材（７７）により、部品組付体（４）を頭部（３）に直接連結することなく簡単な組付構造で確実に連結することができる。また、前記左右両支持アーム（３６）を開閉動可能に支持する開閉支持部で取付台（３５）の後側の第一係止部（５４）を兼用したので、簡単な構造の第一係止部（５４）にすることができる。
＊  請求項２の発明
請求項１の発明を前提とする請求項２の発明において、前記部品組付体（４）の第一係止部（５３，５４）と連結部材（７７）の第一係止部（７８，８０ａ）とのうち、一方の第一係止部は凹部（５３，８０ａ）であり、他方の第一係止部はこの凹部（５３，８０ａ）に係合される凸部（７８，５４）である。この凹部（５３，８０ａ）は有底穴や溝ばかりではなく貫通孔も含む概念である。
従って、請求項２の発明では、簡単な構造の第一係止部（５３，５４，７８，８０ａ）にすることができる。
【００１４】
＊  請求項３の発明
請求項１の発明を前提とする請求項３の発明において、前記部品組付体（４）及び連結部材（７７）の第一係止部（５３，５４，７８，８０ａ）は溶着部である。後記実施形態のように、請求項２の発明にかかる凹部（５３，８０ａ）と凸部（７８，５４）とを互いに溶着して溶着部にしてもよい。
【００１５】
従って、請求項３の発明では、簡単な構造の第一係止部（５３，５４，７８，８０ａ）にすることができる。
＊  請求項４の発明
請求項１から請求項３のうちいずれか一つの請求項の発明を前提とする請求項４の発明において、前記頭部（３）の第二係止部（３２）と連結部材（７７）の第二係止部（８１）とのうち、一方の第二係止部は凹部（３２）であり、他方の第二係止部はこの凹部（３２）に係合される凸部（８１）である。この凹部（３２）は貫通孔ばかりではなく溝や有底穴も含む概念である。
従って、請求項４の発明では、簡単な構造の第二係止部（３２，８１）にすることができる。
＊  請求項５の発明
請求項１から請求項４のうちいずれか一つの請求項の発明を前提とする請求項５の発明において、前記左右両支持アーム（３６）は、前記開閉支持部としての共通の支軸（５４）で回動可能に支持されて開閉動され、この支軸（５４）の外周に挿嵌される支持孔（５９）を有する基端挿嵌部（５８）と、この基端挿嵌部（５８）から延設されて先端部に同一形態の前記係合支持部（６１）を有する腕部（６０）とからなり、この左右両支持アーム（３６）で互いに重合する基端挿嵌部（５８）はこの腕部（６０）の係合支持部（６１）が一平面上で開閉動するようにこの腕部（６０）に対し段差部（６４）を介して連続している。
従って、請求項５の発明では、左右両支持アーム（３６）を共通の支軸（５４）で支持する際、左右両用の支持アーム（３６）を採用しても左右両係合支持部（６１）を一平面上で開閉動させることができるとともに、部品組付体（４）のサイズひいてはホルダ（２）の頭部（３）のサイズを小さくすることができ、簡単な組付構造で首振り式剃刀としての機能を高めることができる。
さらに、例えば、請求項５の発明にかかる操作部（３７）の移動により前記左右両支持アーム（３６）を開閉動させるように互いに係合する押圧部（６２，６３，７０，７１）を前記支軸（５４）の回動中心線（５４ａ）から離間した左右両側位置で前記左右両支持アーム（３６）と操作部（３７）とに設けている。従って、左右両支持アーム（３６）を共通の支軸（５４）で支持する際、左右両支持アーム（３６）を円滑に開閉動させることができる。
【００１９】
＊  請求項６の発明
請求項１から請求項５のうちいずれか一つの請求項の発明を前提とする請求項６の発明において、前記ホルダ（２）の頭部（３）には前記操作部（３７）に面する操作規制部（３３）を設け、この操作規制部（３３）にはこの操作部（３７）に設けた指掛部（６５）に指を当てがって操作部（３７）を移動させる際にその指が当接して操作部（３７）の移動を規制する指当接部（３４）を設けている。例えば、操作部（３７）の移動前状態（Ｑ）で指掛部（６５）を押すと、指掛部（６５）を押すと同時に、または指掛部（６５）を押したまま操作部（３７）を移動させてその操作部（３７）が移動後状態（Ｐ）に至る途中で、指が指当接部（３４）に当たり、操作部（３７）の移動が規制されるが、指当接部（３４）に対する当接後も指の傾きを変えて指掛部（６５）を押すことができる。
【００２０】
さらに、請求項６の発明にかかる操作部（３７）の指掛部（６５）は、例えば、前記操作規制部（３３）の指当接部（３４）よりも操作部（３７）の移動方向（Ｘ）に沿って突出するか、または、操作部（３７）の移動方向（Ｘ）に対し直交する方向（Ｚ）でこの操作規制部（３３）の指当接部（３４）と並ぶ状態を取り得る。なお、操作規制部（３３）の指当接部（３４）が操作部（３７）の指掛部（６５）よりも操作部（３７）の移動方向（Ｘ）に沿って突出していてもよい。ここに「並ぶ状態」とは、操作部（３７）の指掛部（６５）と操作規制部（３３）の指当接部（３４）とが互いに面一で一致していることは勿論のこと、それらのうちいずれかのものが若干突出して互いに並んでいる場合も含む。
【００２１】
従って、請求項６の発明では、部品組付体（４）を組み付けた頭部（３）において、簡単な組付構造で、操作部（３７）を不用意に操作することを防止することができる。従って、首振り式剃刀としての機能を高めることができる。
【００２２】
＊  請求項７の発明
請求項１から請求項５のうちいずれか一つの請求項の発明を前提とする請求項７の発明において、前記操作部（３７）は、前記左右両支持アーム（３６）に対し前記剃刀ヘッド（５）を支持し得る支持状態（Ｑ）と、その支持状態（Ｑ）を解除する支持解除状態（Ｐ）とを取り、この操作部（３７）の支持状態（Ｑ）と支持解除状態（Ｐ）とのうち少なくとも支持解除状態（Ｐ）を維持するように互いに係合する係合部（５６，５７，６７）を前記取付台（３５）とこの操作部（３７）とに設けている。ちなみに、操作部（３７）は、単一であり、左右両支持アーム（３６）に対し別体で設けられている。例えば、プッシャ（３８）と操作部（３７）とは同一方向（Ｘ）に沿って互いに移動する。
従って、請求項７の発明では、操作部（３７）を離しても支持解除状態（Ｐ）に維持したまま左右両支持アーム（３６）に剃刀ヘッド（５）を当てがって支持状態（Ｑ）にすることができるので、簡単な組付構造で、左右両支持アーム（３６）に対し剃刀ヘッド（５）を支持し易くなる。従って、首振り式剃刀としての機能を高めることができる。
【００２３】
さらに、例えば、請求項７の発明にかかる取付台（３５）の係合部（５６）に対する前記操作部（３７）の係合部（６７）の係合を解除してこの操作部（３７）を支持解除状態（Ｐ）から支持状態（Ｑ）に戻し得るように互いに係合する係合解除部（７３，６８）を前記プッシャ（３８）とこの操作部（３７）とに設けている。従って、プッシャ（３８）を利用して支持解除状態（Ｐ）から支持状態（Ｑ）に容易に戻すことができる。
【００２４】
さらに、請求項７の発明にかかる操作部（３７）は、例えば、弾性を有する係合腕（６６）を前記プッシャ（３８）に面して有し、この操作部（３７）の係合部（６７）はこの係合腕（６６）に設けられ、前記プッシャ（３８）及び操作部（３７）の係合解除部（７３，６８）はこの係合腕（６６）を弾性力に抗して撓ませることにより前記取付台（３５）の係合部（５６）に対するこの操作部（３７）の係合部（６７）の係合を解除し得る当接面（７３ａ，６８ａ）を有している。従って、簡単な構造で支持解除状態（Ｐ）から支持状態（Ｑ）に戻すことができる。
【００２７】
＊  請求項８の発明
請求項１から請求項５のうちいずれか一つの請求項の発明を前提とする請求項８の発明において、前記左右両支持アーム（３６）の移動方向（Ｙ）を含む面に対し直交する上下方向（Ｚ）の両側のうち、一方の側への左右両支持アーム（３６）の動きを規制する案内面（２２ａ，４７ａ）を有する案内壁部（２２，４７）と、他方の側への左右両支持アーム（３６）の動きを規制する案内面（２３ａ，４８ａ）を有する案内壁部（２３，４８）とを、前記部品組付体（４）の取付台（３５）と前記ホルダ（２）の頭部（３）とでそれぞれ一体的に設け、この取付台（３５）の両案内壁部（４７，４８）の案内面（４７ａ，４８ａ）間に設けた案内通路（４９）と、この頭部（３）の両案内壁部（２２，２３）の案内面（２２ａ，２３ａ）間に設けた案内通路（７６）とを互いに連続させてこれらの案内通路（４９，７６）で前記左右両支持アーム（３６）を開閉動可能にしている。
従って、請求項８の発明では、ホルダ（２）の頭部（３）とその頭部（３）に組み付けた部品組付体（４）の取付台（３５）とで互いに連続する案内通路（４９，７６）により、左右両支持アーム（３６）の振れをその開閉動全域で抑えて左右両支持アーム（３６）を円滑に開閉動させることができる。従って、簡単な組付構造で首振り式剃刀としての機能を高めることができる。
【発明の効果】
【００２９】
本発明は、予め組み付けられて一体化された部品組付体（４）をホルダ（２）の頭部（３）に直接連結することなく、部品組付体（４）及びホルダ（２）の頭部（３）に対しそれぞれ別々に連結される一つの専用連結部材（７７）により、部品組付体（４）をホルダ（２）の頭部（３）に対し一つの専用連結部材（７７）を介して簡単な組付構造で確実に連結することができる。また、取付台（３５）の後側の第一係止部（５４）により、左右両支持アーム（３６）を開閉動可能に支持する開閉支持部を兼用した簡単な構造にすることができる。従って、首振り式剃刀としての機能を高めることができる。
【発明を実施するための最良の形態】
【００３０】
以下、本発明の一実施形態に係る首振り式剃刀について図１〜８を参照して説明する。
この首振り式剃刀は、図３（ａ）及び図４（ａ）（ｃ）（ｄ）に示すように、ホルダ２の頭部３に部品組付体４（図２参照）を組み付けた剃刀本体１と、この部品組付体４に対し首振り可能に支持した替刃カートリッジ５（剃刀ヘッド）とを備えている。ちなみに、図３（ａ）（ｂ）に示す剃刀本体１において、Ａは約９６ｍｍ、Ｂは約３６．５ｍｍ、Ｃは約３７．４ｍｍ、θは約５０°に設定されている。また、剃刀本体１の総重量は約５１ｇに、４枚の刃体を有する替刃カートリッジ５の総重量は約２ｇに、それらを加えた首振り式剃刀全体の総重量は約５３ｇに設定されている。
【００３１】
このホルダ２の把持部６においては、前記頭部３と連続する首部７から延設された背部８に腹部材９が取着されている。この頭部３と首部７と背部８とは例えば亜鉛ダイカストにより一体成形されている。この背部８の外面には複数の突起８ａが突設されている。このホルダ２の頭部３及び把持部６の外面については、バフ研磨後にクロムメッキ仕上げされ、背部８の外面には製品名等の表示を付すことが可能である。この腹部材９は、ＡＢＳ樹脂等の硬質樹脂により成形された内壁部１０と、軟質樹脂（硬度ショアＡ３５〜５５のエラストマ）により成形された外壁部１１とで一体成形されている。この内壁部１０と前記背部８とがそれらの連結凹凸部１２で瞬間接着剤等により連結されている。この内壁部１０と背部８との間の内室１３には重量や重心を調節するための重錘（図示せず）を嵌め込んでもよい。前記把持部６の背側と腹側との間の両側で前記背部８と腹部材９の外壁部１１との境界部１４が生じ、この外壁部１１の外面にはこの両境界部１４間に複数の小突条１１ｂが架設されているとともに複数の突起１１ａがこの両境界部１４に沿って並設されている。ちなみに、図３（ａ）に示す剃刀本体１においてその重心は、把持部６で首部７と腹部材９との境界付近の位置Ｗにある。この外壁部１１の下端部外面には僅かな段差を有する指掛部１１ｃが形成されている。
【００３２】
図１，２等に示すように、前記ホルダ２の頭部３は、前述したように一体成形され、中央の収容胴部１５と、この収容胴部１５の前部の左右両側から左右方向Ｙへ突出する案内腕部１６とからなる。この収容胴部１５は上壁部１７と下壁部１８と左右両壁部１９とにより成形され、これらの壁部１７，１８，１９の内側には前後方向Ｘで互いに対向する前側開口２０と後側開口２１との間で空洞部２７ａが貫設されている。この左右両案内腕部１６は上側案内壁部２２と下側案内壁部２３とこの上下両案内壁部２２，２３をつなぐ端縁壁部２４とにより成形され、これらの壁部２２，２３，２４の内側には互いに対向する前側開口２５と後側開口２６との間で空洞部２７ｂが貫設されている。この上側案内壁部２２及び下側案内壁部２３の後端縁部は、それらの前端縁部側へ凹んでいる。この収容胴部１５の空洞部２７ａと左右両案内腕部１６の空洞部２７ｂとは互いに連続して頭部３の内側で一つの空洞部２７になっている。前記収容胴部１５の上壁部１７においてその上面には浅い凹所２８が形成されている。その凹所２８内では、前側開口２０の左右両側から連続する切込み２９（連結孔）が後側開口２１へ向けて延設されているとともに、この左右両切込み２９間の中央で前側開口２０から連続する切込み３０（連結孔）が後側開口２１の付近まで延設され、この中央切込み３０の後端部との境界で段差部３１ａを生じる連結孔３１が貫設されている。また、この凹所２８内では貫通孔３２（第二係止部である凹部）が連結孔３１の後方で隣接して形成されている。前記収容胴部１５には後側開口２１で操作規制部３３が下壁部１８から連続して後方へ突設され、この操作規制部３３上が平坦な案内面になっているとともに、この操作規制部３３の後端部には指当接部３４が形成されている。
【００３３】
図１，２等に示すように、前記部品組付体４は、合成樹脂（例えばＡＢＳ樹脂とポリカーボネイトとの混合材）により成形された取付台３５と、金属により成形された左右両支持アーム３６と、合成樹脂（例えばポリアセタール）により成形された操作部材３７と、合成樹脂（例えばポリアセタール）により成形されたプッシャ３８と、金属により成形された圧縮コイルばね３９（弾性体）とを有し、それらが予め互いに組み付けられて一体化されている。
【００３４】
前記取付台３５は、中央の収容胴部４０と、この収容胴部４０の前部の左右両側から左右方向Ｙへ突出する案内腕部４１とからなる。この収容胴部４０は下壁部４２と左右両壁部４３とにより成形され、これらの壁部４２，４３の内側には前後方向Ｘで互いに対向する前側開口４４と後側開口４５との間で溝部４６が形成されている。この左右両案内腕部４１は上側案内壁部４７と下側案内壁部４８とにより成形され、これらの壁部４７，４８の内側で互いに対向する案内面４７ａ，４８ａ間には案内通路４９が形成され、この案内通路４９は前側開口５０と後側開口５１と端縁開口５２とで開放されている。前記収容胴部４０の左右両壁部４３上には前側開口４４の付近から係止凹部５３（第一係止部である凹部）が後側開口４５に向けて延設されている。前記収容胴部４０の下壁部４２には後側開口４５の付近の溝部４６内で開閉支持部としての支軸５４（第一係止部である凸部）が上下方向Ｚへ延びるように形成され、前記収容胴部４０の左右両壁部４３には切込み５５がこの支軸５４に隣接して形成されている。この左右両壁部４３には前記左右両係止凹部５３と支軸５４との間の溝部４６内で前後両係合凹部５６，５７（係合部）が並設されている。
【００３５】
前記左右両支持アーム３６は、互いに同一形態及び大きさを有し、支持孔５９を有する基端挿嵌部５８と、この基端挿嵌部５８から延設された腕部６０とからなる。この左右両腕部６０には、先端部で係合支持部６１が形成され、支持孔５９から離間した基端挿嵌部５８の付近で閉押圧部６２が形成され、この係合支持部６１と閉押圧部６２との間で開押圧部６３が形成されている。この左右両基端挿嵌部５８には支持孔５９と閉押圧部６２との間で段差部６４が両側に形成されている。この左右両係合支持部６１が互いに逆向きに配設された状態でこの左右両支持孔５９が前記収容胴部４０の溝部４６で支軸５４の外周に挿嵌されてこの左右両基端挿嵌部５８が収容胴部４０の下壁部４２上で互いに重ねられ、一方の基端挿嵌部５８が他方の基端挿嵌部５８の段差部６４に面して隣接する。この左右両腕部６０は、収容胴部４０の左右両壁部４３の切込み５５を通して収容胴部４０の外側へ突出するとともに、前記左右両案内腕部４１の案内通路４９に各開口５０，５１，５２を通して挿入され、この左右両案内腕部４１よりも前方へ突出する。この左右両腕部６０の閉押圧部６２は左右両壁部４３で切込み５５に位置する。この左右両支持アーム３６は共通の支軸５４を中心に回動し、左右両腕部６０の係合支持部６１が一平面上で互いに開閉動する。
【００３６】
前記操作部材３７においては、後端部で階段状の指掛部６５が形成され、前端部の左右両側で係合凸部６７（係合部）を有する係合腕６６が二股状に形成され、この左右両係合腕６６の先端部に係合解除部６８が形成され、この指掛部６５と左右両係合腕６６との間で透孔６９が形成されているとともに左右両閉押圧部７０及び左右両開押圧部７１が形成されている。この左右両係合腕６６は互いに接近及び離間する左右方向Ｙで弾性を有している。この操作部材３７は前記取付台３５の収容胴部４０で溝部４６の後側開口４５側に挿入されて前後方向Ｘへ移動可能に支持され、その後側開口４５から指掛部６５が後方へ突出し、左右両閉押圧部７０が収容胴部４０の左右両壁部４３の切込み５５で前記左右両支持アーム３６の閉押圧部６２に対向しているとともに、前記取付台３５の支軸５４が透孔６９を通して上方へ突出している。この操作部材３７の移動に伴い、左右両係合腕６６の係合凸部６７が前記取付台３５の前後両係合凹部５６，５７のうち一方に係入される。なお、操作部材３７には指掛部６５の付近で移動方向を示す矢印が付されている。
【００３７】
前記プッシャ３８の先端部には二股状の圧接部７２が形成されている。このプッシャ３８の基端部の左右両側には係合解除部７３が形成されている。このプッシャ３８は前記取付台３５の収容胴部４０で溝部４６の前側開口４４側に挿入されて前後方向Ｘへ移動可能に支持され、その前側開口４４から圧接部７２が前方へ突出している。前記圧縮コイルばね３９は、このプッシャ３８の基端部側で左右両係合解除部７３間に形成された軸部７４と、前記操作部材３７の先端部側で左右両係合腕６６間に形成された軸部７５との間に介在され、このプッシャ３８と操作部材３７とを互いに押し広げるように付勢している。
【００３８】
このようにして前記取付台３５と左右両支持アーム３６と操作部材３７とプッシャ３８と圧縮コイルばね３９とが互いに組み付けられて一体化された部品組付体４は、図２（ｂ）に示すように、前記ホルダ２の頭部３内の空洞部２７に前側開口２０，２５側から挿入され、取付台３５の収容胴部４０が頭部３の収容胴部１５内の空洞部２７ａに挿嵌されるとともに、取付台３５の左右両案内腕部４１が頭部３の左右両案内腕部１６内の空洞部２７ｂに挿嵌される。それらの収容胴部１５，４０の前側開口２０，２５，４４，５０は互いに面一で一致し、前記プッシャ３８がそれらの前側開口２０，４４から頭部３の前方へ突出する。取付台３５の左右両案内腕部４１の上下両案内壁部４７，４８は頭部３の左右両案内腕部１６の上下両案内壁部２２，２３の内側で並び、取付台３５の上下両案内壁部４７，４８と頭部３の左右両案内腕部１６の端縁壁部２４との間で頭部３の上下両案内壁部２２,２３には互いに対向する案内面２２ａ，２３ａが形成されている。これらの案内面２２ａ，２３ａ間の案内通路７６は、取付台３５側の案内通路４９と左右方向Ｙで並んでいるとともに、前側開口２５と後側開口２６とで開放されている。前記左右両支持アーム３６の腕部６０は、それらの案内通路４９，７６から頭部３の前方へ突出するとともに、頭部３において収容胴部１５と左右両案内腕部１６との間で後側開口２６の後方外側に露出する。前記操作部材３７の指掛部６５は頭部３の収容胴部１５の後側開口２１から露出して前記操作規制部３３上の平坦案内面に面している。なお、図示はしないが、部品組付体については取付台と左右両支持アームとプッシャと圧縮コイルばねとを互いに組み付けて一体化したものをホルダ２の頭部３内の空洞部２７に前側開口２０，２５側から挿入し、操作部材をこの空洞部２７に後側開口２１側から挿入してこの部品組付体に対し組み付けて一体化してもよい。
【００３９】
図３に示すように、前記部品組付体４をホルダ２の頭部３に位置決めする連結蓋７７（連結部材）は、合成樹脂（例えばＡＢＳ樹脂とポリカーボネイトとの混合材）により成形され、頭部３の収容胴部１５の上壁部１７の凹所２８に嵌め込まれて重ねられている。この連結蓋７７の表面には各種表示が付されている。図１，２等に示すように、この連結蓋７７の裏側では、連結蓋７７の前端部の左右両側に係止凸部７８（第一係止部である凸部）が前後方向Ｘへ延びるように形成され、この左右両係止凸部７８間で突条部７９が連結蓋７７の前端部から後端部付近まで延設されているとともにこの突条部７９の後端部に円筒部８０が連続して形成され、連結蓋７７の後端部には係止軸８１（第二係止部である凸部）が円筒部８０の後方で隣接して形成されている。この円筒部８０内には有底穴８０ａ（第一係止部である凹部）が形成されている。連結蓋７７の突条部７９は頭部３の上壁部１７の中央切込み３０に嵌め込まれる。連結蓋７７の円筒部８０は頭部３の上壁部１７の連結孔３１に嵌め込まれ、この円筒部８０の有底穴８０ａに取付台３５側の支軸５４が挿嵌される。連結蓋７７の左右両係止凸部７８は取付台３５側の左右両係止凹部５３に対し頭部３の上壁部１７の左右両切込み２９を通して係入される。連結蓋７７の係止軸８１は頭部３側の貫通孔３２に係入される。この有底穴８０ａと支軸５４、この左右両係止凸部７８と左右両係止凹部５３とは、それぞれ、溶融接着されて溶着部となる。
【００４０】
前記操作部材３７の指掛部６５を前方へ押すと、図３（ｂ）（ｃ）、図５（ａ）、図６（ａ）、図７（ａ）及び図８（ａ）に示すように、その指掛部６５が前記頭部３の操作規制部３３の指当接部３４から前方へ離間し、この操作部材３７の左右両係合腕６６の係合凸部６７が前記取付台３５の前後両係合凹部５６，５７のうち前側係合凹部５６に係入された支持解除状態Ｐとなる。この操作部材３７の支持解除状態Ｐでは、前記プッシャ３８がこの操作部材３７により圧縮コイルばね３９を介して前方へ押され、操作部材３７の左右両閉押圧部７０が左右両支持アーム３６の閉押圧部６２に当接するため、左右両支持アーム３６が支軸５４の回動中心線５４ａを中心に回動して左右両支持アーム３６の係合支持部６１が互いに接近するように案内通路４９，７６に沿って閉動して位置決めされる。
【００４１】
前記替刃カートリッジ５において、刃台８２の左右方向Ｙの中央部には圧接面８３が形成され、刃台８２の左右両側には係合支持孔８４（係合支持部）が形成されている。この替刃カートリッジ５の刃台８２の圧接面８３にプッシャ３８の圧接部７２を当接させてこの替刃カートリッジ５をホルダ２の頭部３に押さえ付けると、図４（ｂ）、図５（ｂ）、図６（ｂ）、図７（ｂ）及び図８（ｂ）に示すように、プッシャ３８が圧縮コイルばね３９の弾性力に抗して後方へ押される。このプッシャ３８の左右両係合解除部７３には操作部材３７の移動方向（前後方向Ｘ）に対し傾斜する当接面７３ａが形成されている。この左右両当接面７３ａが操作部材３７の左右両係合腕６６で係合解除部６８の当接面６８ａを押さえると、この左右両係合腕６６が弾性力に抗して互いに接近する内側へ撓んでこの左右両係合腕６６の係合凸部６７が取付台３５の前側係合凹部５６から離脱し、操作部材３７が圧縮コイルばね３９の弾性力により後方へ押され、左右両係合腕６６の係合凸部６７が取付台３５の後側係合凹部５７に係入された支持状態Ｑになる。この操作部材３７の支持状態Ｑでは、操作部材３７の左右両閉押圧部７０が左右両支持アーム３６の閉押圧部６２から後方へ離れるとともに、操作部材３７の左右両開押圧部７１が左右両支持アーム３６の開押圧部６３を押さえ、左右両支持アーム３６が頭部３の左右両案内腕部１６で端縁壁部２４の内面に当接するまで案内通路４９，７６に沿って開動して位置決めされ、左右両支持アーム３６の係合支持部６１が替刃カートリッジ５の左右両係合支持孔８４に係入される。前記替刃カートリッジ５の刃台８２の圧接面８３に対するプッシャ３８の圧接部７２の当接部分は、左右両支持アーム３６の係合支持部６１を結ぶ回動中心線よりも上方に位置しているため、替刃カートリッジ５が一方向きへのみ傾動する。この操作部材３７の支持状態Ｑで指掛部６５は頭部３の操作規制部３３の指当接部３４から操作部材３７の移動方向（前後方向Ｘ）に沿って若干の寸法Ｓ（指当接部３４の後端縁３４ａと指掛部６５の下端縁６５ａとの間の突出寸法）だけ突出する。
【００４２】
前記操作部材３７の支持状態Ｑで指掛部６５を前方へ押すと、操作部材３７が前記支持解除状態Ｐになる。その際、指掛部６５を押した直後に指が操作規制部３３の指当接部３４に当たるため、操作部材３７の移動が規制されるが、指当接部３４に対する当接後も指の傾きを変えて指掛部６５を押すことができる。なお、指当接部３４に指が当たることなく指掛部６５を前方へ押すこともできる。
【００４３】
なお、図示しないが、剃刀本体１をスタンドに保持した際、スタンドの支持部が頭部３の左右両案内腕部１６における端縁壁部２４の後端部に当接して左右両支持アーム３６の腕部６０をカバーするようになっている。
【図面の簡単な説明】
【００４４】
【図１】本実施形態に係る首振り式剃刀本体の頭部側を示す部分分解斜視図である。
【図２】（ａ）は上記首振り式剃刀本体においてホルダの頭部に部品組付体を挿入する前の状態を示す部分平面図であり、（ｂ）は同じくホルダの頭部に部品組付体を挿入した状態を示す部分平面図である。
【図３】（ａ）は本実施形態に係る首振り式剃刀本体の全体を示す一部切欠き側面図であり、（ｂ）はこの首振り式剃刀本体に剃刀ヘッドを支持する前の状態を示す一部切欠き平面図であり、（ｃ）はホルダの頭部に対する部品組付体の連結構造を平面側から見た断面図である。
【図４】（ａ）は本実施形態に係る首振り式剃刀の全体を示す側面図であり、（ｂ）は首振り式剃刀本体に剃刀ヘッドを支持した状態を示す一部切欠き平面図であり、（ｃ）及び（ｄ）はホルダの把持部を示す一部切欠き図である。
【図５】（ａ）は図３（ｂ）の状態にある首振り式剃刀本体を示す一部切欠き正面図であり、（ｂ）は図４（ｂ）の状態にある首振り式剃刀本体を示す一部切欠き正面図である。
【図６】（ａ）は図３（ｂ）の状態にある首振り式剃刀本体の頭部側を側面側から見た断面図であり、（ｂ）は図４（ｂ）の状態にある首振り式剃刀本体の頭部側を側面側から見た断面図である。
【図７】（ａ）は図３（ｂ）の状態にある首振り式剃刀本体の頭部側を平面側から見た断面図であり、（ｂ）は図４（ｂ）の状態にある首振り式剃刀本体の頭部側を平面側から見た断面図である。
【図８】（ａ）は図３（ｂ）の状態にある首振り式剃刀本体の頭部側を平面側から見た断面図であり、（ｂ）は図４（ｂ）の状態にある首振り式剃刀本体の頭部側を平面側から見た断面図である。
【符号の説明】
【００４５】
２…ホルダ、３…頭部、４…部品組付体、５…替刃カートリッジ（剃刀ヘッド）、１７…上壁部、１８…下壁部、１９…左右両壁部、２０…前側開口、２１…後側開口、２２…上側案内壁部、２２ａ…案内面、２３…下側案内壁部、２３ａ…案内面、２４…端縁壁部、２５…前側開口、２６…後側開口、２７…空洞部、２９…左右両切込み（連結孔）、３０…中央切込み（連結孔）、３１…連結孔、３２…貫通孔（凹部、第二係止部）、３３…操作規制部、３４…指当接部、３５…取付台、３６…支持アーム、３７…操作部材、３８…プッシャ、３９…圧縮コイルばね（弾性体）、４７…上側案内壁部、４７ａ…案内面、４８…下側案内壁部、４８ａ…案内面、４９…案内通路、５３…係止凹部（凹部、第一係止部）、５４…開閉支持部としての支軸（凸部、第一係止部）、５６…前側係合凹部（係合部）、５７…後側係合凹部（係合部）、５８…基端挿嵌部、５９…支持孔、６０…腕部、６１…係合支持部、６２…閉押圧部、６３…開押圧部、６４…段差部、６５…指掛部、６６…係合腕、６７…係合凸部（係合部）、６８…係合解除部、６８ａ…当接面、７０…閉押圧部、７１…開押圧部、７３…係合解除部、７３ａ…当接面、７６…案内通路、７７…連結蓋（連結部材）、７８…係止凸部（凸部、第一係止部）、８０ａ…有底穴（凹部、第一係止部）、８１…係止軸（凸部、第二係止部）、８３…圧接面、８４…係合支持孔（係合支持部）、Ｐ…支持解除状態、Ｑ…支持状態。
【図１】
0004837256.tif 000002
【図２】
0004837256.tif 000003
【図３】
0004837256.tif 000004
【図４】
0004837256.tif 000005
【図５】
0004837256.tif 000006
【図６】
0004837256.tif 000007
【図７】
0004837256.tif 000008
【図８】
0004837256.tif 000009